(57)【要約】      （修正有）【課題】トレイに保持された記録媒体に対するインクによる縁なし記録に好適なトレイ、記録装置、情報処理装置、情報処理方法、および記憶媒体を提供する。【解決手段】トレイは、記録媒体８０６を所定の保持領域に保持する嵌め込み部８０５と、保持領域に隣接して位置するインクの吸収部と、を備える。【選択図】図５
2017213733.tif 000002
【特許請求の範囲】
【請求項１】
インクによって画像が縁なし記録される記録媒体を保持するトレイであって、
前記記録媒体を所定の保持領域に保持する保持部と、
前記保持領域に隣接して位置するインクの吸収部と、
を備えることを特徴とするトレイ。
【請求項２】
前記保持部と前記吸収部とが設けられたアダプタトレイと、
前記アダプタトレイを交換可能に保持する搬送用トレイと、
を含むことを特徴とする請求項１に記載のトレイ。
【請求項３】
前記保持領域に、前記記録媒体を嵌め込み可能な嵌め込み部が設けられることを特徴とする請求項１または２に記載のトレイ。
【請求項４】
前記吸収部は、前記保持領域の周囲に位置することを特徴とする請求項１から３のいずれか１項に記載のトレイ。
【請求項５】
前記保持部は、前記トレイの一方の面の位置する第１保持領域に前記記録媒体を保持する第１保持部と、前記トレイの他方の面の位置する第２保持領域に前記記録媒体を保持する第２保持部と、を含み
前記吸収部は、前記第１保持領域および前記第２保持領域の少なくとも一方に隣接して位置する
ことを特徴とする請求項１から４のいずれか１項に記載のトレイ。
【請求項６】
前記アダプタトレイは、前記縁なし記録の実施回数に関する情報を記録可能な情報記録部を備えることを特徴とする請求項２から５のいずれか１項に記載のトレイ。
【請求項７】
前記情報記録部は、前記情報の記録が前記縁なし記録によって可能であることを特徴とする請求項６に記載のトレイ。
【請求項８】
前記情報記録部は、１つのトレイを用いて実施可能な前記縁なし記録の実施可能回数に関する情報と、前記１つのトレイを用いて実施された前記縁なし記録の実施回数に関する情報と、の記録が可能であることを特徴とする請求項６または７に記載のトレイ。
【請求項９】
前記情報記録部は、前記実施可能回数に対応する大きさの記録予定領域を含み、
前記記録予定領域は、前記縁なし記録を実施する毎に前記実施回数に関する情報を記録可能な領域を含むことを特徴とする請求項８に記載のトレイ。
【請求項１０】
前記情報記録部は、前記実施可能回数に関する情報が記録された記録領域を含み、
前記記録領域は、前記縁なし記録を実施する毎に前記実施回数に関する情報を記録可能な領域を含むことを特徴とする請求項８に記載のトレイ。
【請求項１１】
請求項１から１０のいずれかに記載のトレイと、
前記トレイに保持された記録媒体に、インクよって画像を縁なし記録する記録部と、
を備えることを特徴とする記録装置。
【請求項１２】
請求項６から１０のいずれかに記載のトレイと、
前記トレイに保持された記録媒体に、インクよって画像を縁なし記録する記録部と、
前記情報記録部に記録された前記情報を読み取る読み取り部と、
を備えることを特徴とする記録装置。
【請求項１３】
前記記録部は、前記読み取り部によって読み取られた前記情報に基づいて、前記縁なし記録を実施する毎に、前記縁なし記録の実施回数に関する情報を前記情報記録部に記録することを特徴とする請求項１２に記載の記録装置。
【請求項１４】
前記情報記録部には、１つのトレイを用いて実施可能な前記縁なし記録の実施可能回数に関する情報と、前記１つのトレイを用いて実施された前記縁なし記録の実施回数に関する情報と、が記録され、
前記読み取り部は、前記情報記録部から、前記実施可能回数に関する情報と前記実施回数に関する情報を読み取り、
前記記録装置は、前記実施可能回数から前記実施回数を減じた残りの実施可能回数に関する情報を算出する情報処理部をさらに備えることを特徴とする請求項１２または１３に記載の記録装置。
【請求項１５】
前記情報記録部に記録された前記情報、および前記残りの実施可能回数に関する情報のうちの少なくとも一方を表示する表示部をさらに備えることを特徴とする請求項１４に記載の記録装置。
【請求項１６】
請求項１４または１５に記載の記録装置に接続される情報処理装置であって、
前記記録装置から、前記実施可能回数に関する情報、および前記実施回数に関する情報を取得する情報取得部と、
前記実施可能回数から前記実施回数を減じた残りの実施可能回数に関する情報を算出する情報処理部と、
前記情報記録部に記録された前記情報、および前記残りの実施可能回数に関する情報のうちの少なくとも一方を表示する表示部と、
を備えることを特徴とする情報処理装置。
【請求項１７】
インクによって画像が縁なし記録される記録媒体を保持領域に保持する保持部と、前記保持領域に隣接して位置するインクの吸収部と、前記縁なし記録の実施回数に関する情報を記録可能な情報記録部と、を備えるトレイの前記情報記録部から、１つのトレイを用いて実施可能な前記縁なし記録の実施可能回数に関する情報と、前記１つのトレイを用いて実施された前記縁なし記録の実施回数に関する情報と、を読み出す工程と、
前記実施可能回数から前記実施回数を減じた残りの実施可能回数に関する情報を算出する算出工程と、
前記情報記録部に記録された前記情報、および前記残りの実施可能回数に関する情報のうちの少なくとも一方を表示する表示工程と、
を含むことを特徴とする情報処理方法。
【請求項１８】
請求項１７に記載の情報処理方法を実行するためのプログラムコードが記憶された記憶媒体。
【発明の詳細な説明】
【技術分野】
【０００１】
本発明は、インクによって画像が縁なし記録される記録媒体を保持するトレイ、そのトレイを用いる記録装置、情報処理装置、情報処理方法、およびその情報処理方法を実行するためのプログラムコードが記憶された記憶媒体に関するものである。
【背景技術】
【０００２】
特許文献１には、プリンタブルディスクにインクを付与して画像を記録するために、プリンタブルディスク専用のトレイを用いるインクジェット記録装置が記載されている。プリンタブルディスクは、例えば、ＣＤ（Compact Disc）およびＤＶＤ（Digital Versatile Disc）などである。
【先行技術文献】
【特許文献】
【０００３】
【特許文献１】特開２００４−３３８３３８号公報
【特許文献２】特開２００５−１０４１１２号公報
【発明の概要】
【発明が解決しようとする課題】
【０００４】
特許文献１には、プリンタブルディスクなどの記録媒体に画像を縁なし記録するための構成についての記載がない。縁なし記録は、記録媒体の少なくともの一部の縁部に、余白（マージン）を形成しないように画像を記録する方法であり、記録媒体から外側にはみ出した領域に対してもインクが付与されることになる。
【０００５】
仮に、特許文献１に記載の記録装置によって縁なし記録を実施した場合には、記録媒体の外側に付与されたインクがプリンタブルディスク専用のトレイに付着し、そのインクが利用者の手に付着するおそれがある。そのため、特許文献１に記載の記録装置によっては、縁なし記録を実施することができない。一般に、プリンタブルディスク専用のトレイは、プラスチックなどの硬質材料によって形成されていてインクをはじきやすく、このようなトレイを用いて縁なし記録を実施した場合には、そのトレイ上のインクが利用者の手に付着しやすい。
【０００６】
本発明の目的は、トレイに保持された記録媒体に対するインクによる縁なし記録に好適なトレイ、記録装置、情報処理装置、情報処理方法、および記憶媒体を提供することにある。
【課題を解決するための手段】
【０００７】
本発明のトレイは、インクによって画像が縁なし記録される記録媒体を保持するトレイであって、前記記録媒体を所定の保持領域に保持する保持部と、前記保持領域に隣接して位置するインクの吸収部と、を備えることを特徴とする。
【発明の効果】
【０００８】
本発明によれば、縁なし記録時にトレイに付着したインクを吸収部により吸収して、トレイに付着したインクの影響を小さく抑えることができる。
【図面の簡単な説明】
【０００９】
【図１】本発明の情報処理装置の基本構成の説明図である。
【図２】本発明の記録装置の基本構成の説明図である。
【図３】本発明の情報処理装置と記録装置の基本構成を説明するための機能ブロック図である。
【図４】（ａ）は、本発明のトレイの基本構成の説明図、（ｂ）は、情報処理装置の具体例の説明図である。
【図５】本発明の第１の実施形態におけるトレイの説明図である。
【図６】（ａ）は、本発明の第２の実施形態におけるトレイの説明図、（ｂ）は、本発明の第３の実施形態におけるトレイの説明図、（ｃ）は、本発明の第４の実施形態におけるトレイの説明図である。
【発明を実施するための形態】
【００１０】
まず、本発明の実施形態の説明に先立ち、情報処理装置および記録装置の基本構成について説明する。
【００１１】
（基本構成）
＜情報処理装置のハードウェア構成＞
図１は、情報処理装置１００のハードウェアの構成例を説明するためのブロック図である。制御バス／データバス１０１は、情報処理装置１００の各構成部とＣＰＵ１０２（中央演算装置）とを接続する。ＣＰＵ１０２は、後述する情報処理方法をプログラムにしたがって実行する。ＲＯＭ１０３には、ＣＰＵ１０２により実行されるプログラムが記憶される。ＲＡＭ１０４は、ＣＰＵ１０２によるプログラムの実行時に、各種情報を一時的に記憶するためのメモリを提供する。ハードディスク等の２次記憶装置１０５は、画像ファイルおよび画像解析結果を含むデータベースなどを保存するための記憶媒体である。ディスプレイ（表示部）１０６は、処理結果をユーザに提示するための装置である。情報処理装置１００には、処理の指示等をユーザが入力するためのマウス１０７、および文字等を入力するキーボード１０８などのユーザインターフェース（ＵＩ）も備えられている。マウス１０７およびキーボード１０８の代わりに、ディスプレイ１０６にタッチパネル機能を備え、タッチパネルの操作によって処理の指示および文字入力等を行ってもよい。また、内部撮像デバイス１１２を備えてもよい。この内部撮像デバイス１１２によって撮像された画像は、所定の画像処理を経た後、２次記憶装置１０５に保存される。
【００１２】
画像データはインターフェース（ＩＦ）１１０を介して接続された外部撮像デバイス１１３から、読み込むこともできる。さらに、無線ＬＡＮ（Local Area Network）１１１を備えてもよく、その無線ＬＡＮ１１１は、インターネット１１５に接続されている。そのインターネットに接続された外部サーバー１１６から、画像データを取得することもできる。
【００１３】
画像を記録するための記録装置（プリンタ）１１４は、ＩＦ１０９を介して接続されている。記録装置７００は、さらにインターネット上に接続されており、無線ＬＡＮ１１１を経由して記録データの入出力が可能である。また、電波発生装置１１７は、情報処理装置１００から送信される電力により磁界を作り出し、電波を発生させてデータ通信等を行う。電波発生装置１１７は、例えば、ＮＦＣなどの近距離無線通信機能を有している。情報処理装置１００が内蔵されている装置は、例えば、スマートフォン、タブレットパソコンのようなモバイルコンピュータ端末である。また、情報処理装置１００が内蔵されている装置としては、デジタルカメラ、ビデオカメラ、テレビ、スピーカー等、電波発生装置が内蔵されている装置も含まれる。
【００１４】
＜記録装置のハードウェア構成＞
図２（ａ）は、記録装置７００の構成例を説明するための模式図である。本例の記録装置７００は、いわゆるシリアルスキャン方式の記録装置であり、矢印Ｘの主走査方向に移動するキャリッジに、記録ヘッド２０１と、インクを充填したインク部２０２と、が搭載される。本例のインク部２０２には、シアン（Ｃ），マゼンタ（Ｍ），イエロー（Ｙ），ブラック（Ｋ）のインクが充填されており、記録ヘッド２０１は、それらのインクを吐出する。インクの種類は、このような４色のみに特定されず、何色であってもよい。制御回路部２０３は、記録ヘッド２０１を駆動するために必要な記憶部、演算部、および通信部を含む。記録ヘッド２０１は、制御回路部２０３から記録信号と制御信号を受信し、その制御信号にしたがってインクを吐出する。記録媒体２０４は、不図示の搬送ローラによって矢印Ｙの副走査方向に搬送される。記録ヘッド２０１が主走査方向に移動しつつインクを吐出する動作と、記録媒体２０４の副走査方向の搬送動作と、を交互に繰り返すことによって、記録媒体２０４上に画像が記録される。
【００１５】
図２（ｂ）は、制御回路部２０３の構成を説明するためのブロック図である。制御回路部２０３は、入力インターフェース３０１、ＣＰＵ３０２、出力インターフェース３０３、ＲＯＭ３０４、およびＲＡＭ３０５を含む。入力インターフェース３０１は、不図示の操作部および外部のコンピュータ等から、記録するべき画像データ、および記録ヘッド２０１を駆動するための制御信号の入力を受け付ける。入力インターフェース３０１は、それらの画像データおよび制御信号をＲＡＭ３０５とＣＰＵ３０２に送る。その際、ＣＰＵ３０２は、不揮発性メモリであるＲＯＭ３０４に記憶されている制御プログラムを実行して、画像データを信号処理する。信号処理された画像データは、記録データとして制御信号と共に、出力インターフェース３０３から出力される。その出力された記録データと制御信号とによって記録ヘッド２０１が駆動され、記録媒体２０４に画像が記録される。
【００１６】
図２（ａ），（ｂ）は、記録装置７００のハードウェア構成の一部を示し、トレイの搬送を伴って画像を記録する方法としては、例えば、特許文献２に記載されているような公知の方法を用いることができる。特許文献２の記録装置は、下記のような給送部（給紙部）Ａ、搬送部（送紙部）Ｂ、排出部（排紙部）Ｃ、キャリッジ部Ｄ、回復機構部Ｅ（クリーニング部）、記録部Ｆ（ヘッド）、およびＣＤ搬送部Ｇを備えている。
【００１７】
（給送部Ａ）
給送部Ａは、シート状の記録媒体を積載する圧板、その記録媒体を給送する給送ローラを備えている。また、記録媒体としてのプリンタブルディスクを圧板に積載し、給送ローラによって、圧板と共にプリンタブルディスクを給送する。
【００１８】
（搬送部Ｂ）
搬送部Ｂは、記録媒体を搬送する搬送ローラと、ＰＥセンサと、を備えている。搬送ローラの回転時に負荷を与えて、搬送動作を安定させるために、軸受と搬送ローラとの間にテンションばねが設けられている。テンションばねによって搬送ローラを付勢することにより、搬送ローラに所定の負荷が与えられる。
【００１９】
（排出部Ｃ）
排出部Ｃは、２つの排出ローラと、それらの排出ローラに所定圧で当接することによって従動回転する拍車と、搬送ローラの駆動を排出ローラに伝達するためのギア列と、を備えている。排出ローラは、プラテンに取り付けられている。搬送方向上流側の排出ローラは、金属軸に複数のゴム部が設けられている。搬送方向下流側の排出ローラは、樹脂の軸に複数の絵ラストマー等の弾性体が取り付けられている。コイルばねが棒状に設けられた拍車ばねによって、拍車ホルダへの拍車の取り付け、および排紙ローラへの拍車の圧接等が行われる。拍車は、主として記録時におけるシートなどの記録媒体の搬送力を生じさせるものと、主として記録時におけるシートなどの記録媒体の浮き上がりを阻止するものと、を含む。
【００２０】
２つの排出ローラの間には、紙端サポートが備えられている。紙端サポートは、記録媒体としてのシートの両端を持ち上げて、そのシートを排出ローラの先で保持することにより、先に排出されたシート上の記録画像が擦れることによる記録画像の劣化、および記録品位の低下を抑制する。紙端サポートは、樹脂部材を紙端サポートばねにより付勢して、所定の押圧力によってコロをシートに押し付けることにより、シートの両端を持ち上げて、そのシートの腰を作って、そのシートを保持する。
【００２１】
（キャリッジ部Ｄ）
キャリッジ部Ｄはキャリッジを備え、そのキャリッジには、吐出口からインクを吐出可能な記録ヘッド（インクジェット記録ヘッド）が搭載される。このキャリッジは、記録媒体の搬送方向と交差（本例の場合は、直交）する主走査方向に延在するガイドシャフトおよびガイドレールによって、主走査方向に往復移動可能にガイドされる。ガイドレールは、キャリッジの後端を保持することによって、記録ヘッドと記録媒体との隙間（紙間）を適正な距離に維持する。ガイドシャフトは、記録装置本体のシャーシに取り付けられており、ガイドレールは、そのシャーシと一体に形成されている。
【００２２】
（回復機構部Ｅ）
回復機構部Ｅは、記録ヘッドのインクの吐出性能を維持および回復するための吸引回復処理を行う吸引ポンプと、吐出口が形成される記録ヘッドの吐出口面の保護および乾燥防止のためのキャップと、が備えられている。また、回復機構部Ｅには、記録ヘッドの吐出口面における吐出口の周辺部分の付着物（インクおよびほこり等）を拭掃除去するためのワイパーブレードが備えられている。
【００２３】
（記録部Ｆ）
記録部には、インクジェット記録ヘッドが備えられている。この記録ヘッドには、インク色毎のインクタンクが交換可能に装着される。記録ヘッドは、電気熱変換素子（ヒータ）またはピエゾ素子などの吐出エネルギー発生素子を用いて、吐出口からインクを吐出する。電気熱変換素子を用いた場合には、記録データに基づいて電気熱変換素子を発熱させ、その発熱によってインクを発泡させたときの発泡エネルギーを利用して、吐出口からインクを吐出させる。吐出口から吐出されたインクを記録媒体上に着弾させることにより、記録媒体上に画像が記録される。
【００２４】
（ＣＤ搬送部Ｇ）
ＣＤ搬送部Ｇには、スライドカバー、トレイガイド、およびアームが備えられている。アームの先端には傾斜部が形成されており、記録装置にＣＤ搬送部を装着した状態において、アームを記録装置の本体方向に突出（前進）させることにより、アームはプラテンと拍車ホルダとの間に円滑に入り込む。このようなアームの挿入により、プラテンと拍車ホルダとの間に、記録媒体としてのＣＤ（ＣＤ−Ｒ等）が装填されたトレイが通過するためのスペースが形成される。アームは、プラテンと拍車ホルダとの間に挿入された状態で位置決めされ、突出（前進）前のトレイガイドに収納された状態においては、そのトレイガイドに対してガタを持って収納される。スライドカバーを記録装置の本体方向へ移動させない状態においては、ＣＤ搬送部の開口部が閉じられているため、トレイを挿入することはできない。スライドカバーを記録装置の本体方向へ移動させることにより、スライドカバーが斜め上方向に移動して、スライドカバーとトレイガイドとの間にトレイ挿入用の開口部が形成される。これにより、そのトレイ挿入用の開口部から、ＣＤを装填したトレイを挿入して、それを所定位置にセットすることができる。
【００２５】
（トレイ）
トレイは、例えば、板厚２〜３ｍｍ程度の樹脂板によって構成される。トレイには、ＣＤ取り付け部、トレイの出し入れに際して操作者が掴む操作部、位置検出マーク、ＣＤ取り出し用穴、トレイ挿入位置合わせ用マーク、側圧コロ逃げ部、およびメディア有無検知マークが設けられている。さらに、トレイの先端には、搬送ローラとピンチローラとの間へのトレイの進入（噛み込み）を確実なものとするために、トレイシートが取り付けられている。トレイシートは、厚みが０．１〜０．３ｍｍ程度のＰＥＴ等からなるシート材によって形成されており、所定の摩擦係数と硬度を有する。トレイの先端部にはテーパー部が設けられている。
【００２６】
搬送ローラとピンチローラとの間にトレイシートが噛みこまれることにより、トレイシートの搬送力が生じる。その後、トレイの先端のテーパー部がピンチローラを持ち上げることによって、厚みのあるトレイが搬送ローラとピンチローラとの間に挟持されて、トレイの正確な搬送が可能となる。
【００２７】
位置検出マークは、互いに隣り合うピンチローラの間に対応する位置に設けられており、これにより、位置検出マークはピンチローラと当接せず、位置検出マークの表面に傷が付くことが防止される。位置検出マークは、トレイにおけるＣＤ取り付け部分の先端側の２箇所と、その反対側の１箇所と、に設けられている。位置検出マークは、３〜１０ｍｍ程度の正方形の領域に、反射性能の高い部材が設けられている。位置検出マークの周囲には凹部が設けられており、樹脂部品の位置検出マーク部分の形状に対応するように、反射材料を形成することができる。また、位置検出マークの周囲の凹部における底部は、高い表面性を有し、かつ所定角度を持って形成されている。そのため、キャリッジに設けられたトレイ位置センサの発光が、位置検出マーク以外にて反射されたとしても、その反射光はトレイ位置センサの受光部に戻らない。したがって、トレイの位置検出時における誤検知が防止される。
【００２８】
ＣＤ搬送部Ｇは、特許文献２においては記録装置に取り付けて利用するように構成されている。しかし、これには限定されず、ＣＤ搬送部Ｇは記録装置に装着されている形態であってもよい。また、ＣＤ搬送部Ｇは、ＣＤを記録媒体とする構成のみに限定されない。また、トレイを用いて記録される記録媒体はＣＤのみに限定されず、搬送可能なトレイを用いて記録可能な種々の記録媒体を含む。トレイを用いて記録媒体に画像を記録する構成は、特許文献２に記載の構成のみに限定されず、トレイに記録媒体を嵌め込み、その記録媒体と共にトレイを搬送して記録媒体に画像を記録する構成であればよい。
【００２９】
＜ソフトウェア構成＞
図３（ａ）は、情報処理装置１００のソフトウェアの構成例を説明するためのブロック図である。情報処理装置１００は、例えば、パーソナルコンピューター、スマートフォン、タブレットＰＣなどの形態として構成されており、画面表示処理および通信処理を含む端末装置である。
【００３０】
トレイ情報４０１は、記録装置において用いられるトレイに関する情報である。記録装置は、前述したように、記録媒体を嵌め込んだトレイを搬送して、その記録媒体に画像を記録する。トレイ情報４０１は、記録媒体のサイズ、形状、トレイに対する嵌め込み位置などに関する情報を含む。また、トレイ情報４０１は、トレイを判別するための情報をも含み、その情報に基づいて、情報処理装置１００は、使用するトレイを選択することができる。図４（ａ）はディスクレーベル専用のトレイ５００を示し、これは、ＣＤやＤＶＤなどの記録領域が円形の記録媒体のためのトレイであり、領域５０２に記録媒体が嵌め込まれる。図４（ｂ）はカード専用トレイ５０１を示し、これは、カードや名刺などの記録領域が長方形の記録媒体用のトレイであり、領域５０３，５０４に記録媒体が嵌め込まれる。このような異なる形状の記録媒体に画像を記録するために用いられるトレイの種類は、ＩＤ番号などによってトレイ情報４０１として保持される。また、トレイ情報４０１として、トレイの種類に応じた記録可能領域のサイズ、嵌め込み可能な記録媒体の数、記録開始位置、および非記録可能領域などに関する情報も保持される。
【００３１】
トレイ情報取得部４０２は、トレイ情報４０１を取得して情報処理装置１００内のメモリに保持する。トレイ情報４０１は、情報処理装置１００の外部から取得する他、予め情報処理装置１００のメモリに保持しておいてもよい。またトレイ情報４０１は、通信回線を通して、サーバーのメモリに保存されている情報であってもよい。トレイ情報取得部４０２は、予め、トレイ情報４０１の取得先の装置を設定しておいてもよい。例えば、トレイ情報４０１が情報処理装置１００内のメモリに保存されている場合には、そのメモリにデータアクセスを行って、トレイ情報４０１を取得する。また、情報処理装置１００と通信回線により接続されるサーバーにトレイ情報４０１が保存されている場合には、通信回線を通してサーバーにアクセスする。そして、トレイ情報４０１を保持しているファイルにアクセスしてトレイ情報ファイルを取得し、そのトレイ情報ファイルからトレイ情報４０１を取得する。
【００３２】
また、情報処理装置１００と通信回線により接続される記録装置にトレイ情報４０１が保存されている場合には、通信回線を通して記録装置にアクセスする。そして、情報処理装置１００から記録装置に対してトレイ情報４０１の要求があったときに、記録装置に保持されているトレイ情報４０１が情報処理装置１００に送信されることにより、情報処理装置１００がトレイ情報４０１を取得する。
【００３３】
表示処理部４０３は、記録対象となる画像および文字情報などを表示する。また表示処理部４０３は、記録対象となる画像および文字情報などを選択するためのボタンなどが配置された画面の表示機能を有する。また表示処理部４０３は、記録条件などを設定するための記録設定リストを表示し、さらに、記録設定リストの中から記録条件を選択するためのボタンなどが配置された画面の表示機能を有する。また表示処理部４０３は、トレイ情報取得部４０２が取得したトレイ情報４０１の表示機能を有する。
【００３４】
図４（ｂ）は、情報処理装置１００の一例としてのスマートフォン６００を示す。スマートフォン６００のディスプレイ上に、トレイ選択ボタン６０１、記録設定ボタン６０２、および画面選択ボタン６０３が表示される。トレイ選択ボタン６０１を選択することにより、トレイ選択ダイアログが立ち上がって、取得した複数のトレイ情報が表示される。例えば、トレイの形状をイメージした情報が表示される。記録設定ボタン６０２を選択することにより、記録設定ダイアログが立ち上がり、登録されている記録装置に関する情報が表示されることにより、記録用紙（記録媒体）などの選択ができる。画面選択ボタン６０３を選択することにより、画像選択ダイアログが立ち上がり、スマートフォン６００に保存されている画像、およびカメラにより撮影した画像などに関する情報が表示されることにより、記録対象の画像が選択できる。
【００３５】
表示処理部４０３は、更に、選択されたトレイ、設定された記録条件、および選択された記録対象の画像に基づいて、記録対象の画像をトレイに嵌め込んだイメージ図をプレビュー画面６０４に表示する。画像を選択してトレイに嵌め込む際には、ディスプレイ上において、画像の移動、変倍、および形状の変更をしてから、表示されたトレイ情報の記録領域内のイメージに、その画像に嵌め込む。このように、表示処理部４０３は、記録媒体をトレイに嵌め込んで記録する処理に関連する情報を表示する。
【００３６】
記録指示部４０４は、記録装置の記録条件を情報処理装置１００から指示する。例えば、図４（ｂ）の記録設定ボタン６０２が選択されることにより、記録設定ダイアログ画面が立ち上がる。その記録設定ダイアログ画面においては、例えば、ネットワークに接続されている記録装置の名称を表示することにより、使用する記録装置を選択することができる。また記録設定ダイアログ画面において、ＣＤ、Ａ４およびＬ判などの記録媒体のサイズ（用紙サイズ）、記録部数、および記録媒体の種類（普通紙、光沢紙、ＣＤ専用紙など）などの記録設定情報を指定することができる。
【００３７】
また、記録設定ダイアログ画面には記録ボタンが表示され、その記録ボタンが選択されることにより、記録設定情報に基づいて、選択された記録装置に対する記録実行処理を行う。記録実行処理においては、レンダリング部４０５によって記録用データを作成し、その記録用データをデータ送信部４０６から記録装置に送信する。記録設定情報は、予めスマートフォンなどのモバイル端末に保持しておいてもよく、あるいは、ネットワークを通してサーバーまたは記録装置からダウンロードしてもよい。
【００３８】
記録指示部４０４は、表示処理部４０３により表示されたリストから、記録の実行に必要な情報を選択して記録設定情報として指定する。レンダリング部４０５は、記録指示部４０４において選択された記録設定情報を利用して、トレイ情報４０１と、表示処理部４０３において選択されて表示された画像および文字情報と、から記録データを生成する。例えば、トレイ情報４０１における記録領域に、画像が１つ配置されるように画像処理をする。トレイ情報４０１は、記録領域を示す記録コンテンツ領域に関する情報を含む。記録領域を示す情報として、例えば、ＳＶＧ（Scalable Vecgor Graphics）を利用する。ＳＶＧは、Ｗｅｂ標準言語で利用可能な、グラフィックを表示するための記述方法の一つである。  
<svg width=”印刷コンテンツの横幅” height=”印刷コンテンツの縦幅”>
<image xlink:href=”画像ファイルの指定” 
Width=”写真の横幅” 
height=”写真の縦幅” 
x=”写真のx座標” 
y=”写真のy座標” />
</svg>
【００３９】
上記のように、ＳＶＧは、グラフィックの描画コマンドが列挙された文字列であり、これがインタプリタで解釈されることにより、ＵＩに表示される。上記の印刷コンテンツを記録するためには、記録装置の記録エンジンの要求に応じて、一般的には高解像度画像データ（いわゆるビットマップデータ）へ変換する必要がある。この処理がレンダリング処理である。レンダリング処理された高解像度画像データが記録データである。
【００４０】
このようなレンダリング処理は、公知の技術を利用して、画像や文字をコンテンツ領域に配置した画像を取得できればよく、ＳＶＧのみに限定されない。例えば、公知であるＨＴＭＬ（Hyper Text Markup Language）やＣＳＳ（Cascading Style Sheets）の技術を用いてレンダリングして、画面キャプチャするような方法でもよい。また、高解像度画像データをＪＰＥＧ（Joint Photographic Experts Group）のフォーマットに変換したデータを記録データとしてもよい。また、公知であるＰＤＦ（Portable Document Format）の技術を用いて、ＰＤＦのフォーマットに変換したデータを記録データとしてもよい。
【００４１】
データ送信部４０６は、通信回路によって記録装置（記録処理装置）に接続され、記録データを記録装置が受け取り可能なフォーマットに変換して、その記録データ４０７を記録装置に送信する。例えば、情報処理装置１００と記録装置とは公知の無線ＷｉＦｉ技術によって接続される。情報処理装置１００は、記録設定情報を記録コマンドとして記録装置に送信する。また、情報処理装置１００は、記録コマンドに応じて記録するための記録データとして、例えば、レンダリング処理後のＪＰＥＧファイルを記録装置に送信する。
【００４２】
情報処理装置から記録装置に記録データを送信する方法は、本例の方法に限定されず、公知の方法を用いることができる。例えば、情報処理装置１００と記録装置をＵＳＢポートによって接続し、情報処理装置１００側において、プリンタドライバにより記録装置にて記録可能なラスターデータに変換する。この記録可能なラスターデータを、ＵＳＢポートによって記録装置に送信する。記録装置は、受け取ったラスターデータを記録可能なデータに変換して記録する。
【００４３】
図３（ｂ）は、記録装置（記録処理装置）７００におけるソフトウェア構成のブロック図である。記録装置７００は、例えば、インクジェット記録装置または複写機などであり、記録データを受信して記録処理を実行する。
【００４４】
データ受信部７０１は、情報処理装置１００から送信される記録データを受信する。例えば、記録マンドと、レンダリング処理後のＪＰＥＧ画像と、を受信する。データ受信部７０１は、受信した記録コマンドを解析し、記録媒体のサイズ（例えば、用紙サイズ）および記録媒体の種類などに関する記録設定情報を画像処理部７０２に送る。またデータ受信部７０１は、受信したＪＰＥＧファイルを復号化処理して画像データに変換し、その変換後の画像データを画像処理部７０２に送る。
【００４５】
画像処理部７０２は、データ受信部７０１から受け取った記録設定情報と画像データ（入力画像データ）とに基づいて、画像変換処理により出力画像データを生成する。例えば、データ受信部７０１から受け取った入力画像データが１０００×１０００画素、記録設定情報としての用紙サイズがＤＶＤサイズ１２０×１２０ｍｍ、記録解像度が６００ｄｐｉである場合、出力画像データは、２８３４×２８３４画素となる。画像処理部７０２は、データ受信部７０１から受け取った入力画像データ（１０００×１０００画素）を変倍処理して、出力画像データ（２８３４×２８３４画素）とする。その変倍処理の方法としては、ニアレストネイバー、バイリニア、バイキュービック法などが存在し、処理の特性および処理速度を考慮して、適宜選択することができる。
【００４６】
このように画像処理部７０２は、記録設定情報に基づいて、入力画像データを記録用の出力画像データへ変換する。記録設定情報に補正処理情報が含まれている場合、画像処理部７０２は、入力画像データもしくは出力画像データに補正処理を施す。その画像の補正処理としては、画像全体の色を明るく、または暗くする明度調整、コントラスト調整、カラーバランスの調整の他、写真の記録を想定した逆光補正および赤目補正などの様々な補正が挙げられる。
【００４７】
記録処理部７０３は、画像処理部７０２から受け取った出力画像データを記録データに変換する。記録処理部７０３は、記録装置７００において記録される画像が好適な色となるような変換処理を施す。記録データに変換する方法は、画面表示に利用する画像フォーマットから、記録用のインク色に変換する公知の色変換処理であればよく、種々の方法を採用することができる。例えば、記録装置７００において用いるインクとして、シアン（Ｃ）、マゼンタ（Ｍ）、イエロー（Ｙ）および、ブラック（Ｋ）の４色のインクを想定する。その場合、記録処理部７０３は、画像処理部７０２において生成されレッド（Ｒ）、グリーン（Ｇ）、ブルー（Ｂ）の３色の画像データをＣ，Ｍ，Ｙ，Ｋの４色のインク色に対応する記録データに変換する。このような変換には、色分解テーブルを用いる。色分解テーブルは、Ｒ，Ｇ，Ｂの３つの濃度値をＣ，Ｍ，Ｙ，Ｋのインク色の濃度値に変換するためのテーブルである。記録データの画素毎に色分解テーブルを利用して、Ｒ，Ｇ，Ｂの濃度値をＣ，Ｍ，Ｙ，Ｋのインク色の濃度値を変換する。
【００４８】
記録処理部７０３は、ルックアップテーブルなどの画像処理パラメータを用いる出力階調補正およびハーフトーニングなどの画像処理によって、画像データを記録データに変換する。さらに記録処理部７０３は、変換された記録データに基づいて、記録媒体にインクを吐出して画像を記録する。
【００４９】
（第１の実施形態）
以下、上述した基本構成を含む本発明の第１実施形態について説明する。本実施形態においては、上述した基本構成を前提として、画像が記録された記録物を提供する。本実施形態においては、トレイに嵌め込んだ記録媒体に画像を縁なし記録する。以下においては、このような縁なし記録に用いるトレイの構成について説明する。
【００５０】
＜トレイの構成＞
図５は、上記のようなＣＤ，ＤＶＤなどのプリンタブルディスクに対する縁なし記録に用いるトレイの説明図であり、そのトレイは、搬送用トレイ８００とアダプタトレイ８０４とを含む。図５（ａ）は搬送用トレイ８００の平面図であり、搬送用トレイ８００は、アダプタトレイ８０４が交換可能に嵌め込まれる嵌め込み部８０１と、位置調整用の反射板８０２，８０３と、を有する。図５（ｂ）は、搬送用トレイ８００に嵌め込まれるアダプタトレイ８０４の平面図であり、アダプタトレイ８０４は、ＣＤ，ＤＶＤなどの記録媒体８０６が嵌め込まれる嵌め込み部８０５を有する。嵌め込み部８０５は、記録媒体８０６を所定の保持領域に保持する保持部を構成する。図５（ｃ）は、アダプタトレイ８０４の嵌め込み部に嵌め込まれる記録媒体８０６の平面図である。図５（ｄ）は、アダプタトレイ８０４の断面図である。
【００５１】
記録装置７００には、前述した基本構成と同様にトレイ搬送部が設けられており、搬送用トレイ８００が差し込まれることにより、その搬送用トレイ８００上の記録媒体８０６に画像を記録することができる。前述した基本構成の場合と同様に、搬送用トレイ８００が搬送ローラとピンチローラとの間に噛みこまれることによって、搬送用トレイ８００の搬送力が生じる。そのため、搬送用トレイ８００は、その搬送に耐えられる構成となっていなければならず、例えば、厚みがあるプラスチックなどの硬質部材によって構成される。
【００５２】
アダプタトレイ８０４は、縁なし記録によってインクが記録媒体８０６から外れたトレイ上に吐出された場合に、そのインクを吸収可能な素材によって構成されている。例えば、アダプタトレイ８０４の表面の素材は、コート紙や光沢紙などのインクジェット記録紙とする。
【００５３】
本例のアダプタトレイ８０４は、図５（ｄ）のように、コート層９０１とベース層９０２との層構成となっている。コート層９０１の主成分は、多孔性粒子系および高分子系などであり、多孔性粒子系としては、例えば、シリカゲル（siica gel）が挙げられる。また、高分子系としては、例えば、ゼラチン（gelatin）が挙げられる。
【００５４】
コート層９０１は、多孔性粒子系のコート紙素材とすることができる。多孔性粒子系のコート紙素材は、粒子間の隙間にインクを吸収して浸透させる素材である。コート層９０１にインクを吸収することのいり、アダプタトレイ８０４の表面におけるインクの膨潤を少なくすることができる。ベース層９０２は、木材または草などから抽出したパルプ、あるいは化学合成繊維などによるいわゆる印画紙とすることができる。ベース層９０２は、必ずしもインクを吸収する素材でなくてもよい。ベース層９０２は、記録媒体８０６が嵌め込まれる嵌め込み部８０５を形成するため、嵌め込まれた記録媒体８０６が大きく歪まないように、ある程度の強度をもつ素材、例えば、紙を重ねた積層構造の厚紙などによって形成する。アダプタトレイ８０４は、少なくとも１つ以上の記録媒体の嵌め込み部８０５を有すればよい。また、嵌め込み部８０５の周辺領域におけるアダプタトレイ８０４の表面の層は、インクを吸収可能な素材であればよく、本例の素材のみに限定されない。
【００５５】
また、本例においては、インクを吸収可能な素材によって、アダプタトレイ８０４の全表面にインクの吸収部が形成されている。しかし、インクの吸収部は、少なくとも保持領域に隣接する位置に備わればよい。例えば、縁なし記録によって、記録媒体８０６の周縁部の一部分においてのみ余白（マージン）を形成せずに画像を記録する場合には、その一部分に隣接する位置にインクの吸収部を備えればよい。つまり、記録媒体８０６の保持領域の少なくとも一部と隣接する位置に、インクの吸収部を備えればよい。また、縁なし記録によって、記録媒体８０６の周縁部の全周部分において余白を形成せずに画像を記録する場合には、その全周部分と隣接する位置にインクの吸収部を備える。つまり、記録媒体８０６の保持領域の周囲にインクの吸収部を備える。
【００５６】
このように本実施形態においては、搬送用トレイにアダプタトレイが嵌め込まれ、そのアダプタトイレには、記録媒体を嵌め込むための領域が形成されている。さらに、アダプタトレイにおいて、記録媒体が嵌め込まれる領域の少なくとも周辺は、インク吸収層を形成する素材によって形成されている。このようなアダプタトレイを備えることにより、搬送用トレイの搬送精度の低下を抑えつつ、その搬送用トレイ上において、記録媒体に縁なし画像を記録（縁なし記録）することができる。
【００５７】
（第２の実施形態）
以下、上述した基本構成を含む本発明の第２実施形態について説明する。前述した第１の実施形態においては、アダプタトレイがインク吸収層を備えている。しかしながら、縁なし記録によってアダプタトレイ自体にインクが吐出されるため、縁なし記録を繰り返し実施した場合に、アダプタトレイのインク吸収層がインクを吸収できなくなるおそれがある。仮に、縁なし記録を実施する毎に、アダプタトレイを交換した場合には、縁なし記録に要するコストの上昇を招くおそれがある。
【００５８】
本実施形態は、縁なし記録に要するコストの削減を図るものであり、以下、本実施形態を図６（ａ）に基づいて説明する。前述した第１の実施形態と同様な部分については、同一符号を付して説明を省略する。
【００５９】
図６（ａ）は、本実施形態におけるアダプタトレイ８０４の断面図である。このアダプタトレイ８０４は、コート層９０１（１）、ベース層９０２、コート層９０１（２）層構成であり、アダプタトレイ８０４には、その両面に記録媒体８０６を嵌め込み可能な嵌め込み部８０５が形成されている。この嵌め込み部８０５は、アダプタトレイ８０４の両面のそれぞれに個別に形成してもよい。また、嵌め込み部８０５は、アダプタトレイの一方の面に記録媒体８０６を嵌め込み可能な嵌め込み部と、アダプタトレイの一方の面に記録媒体８０６を嵌め込み可能な嵌め込み部と、の少なく一部が共通するように形成してもよい。
【００６０】
本例のアダプタトレイ８０４は、ベース層９０２の両面のそれぞれにインク吸収層を形成するコート層が形成されており、一方の面側のコート層をコート層９０１（１）とし、他方の面側のコート層をコート層９０１（２）とする。このようにアダプタトレイ８０４の両面に、コート層９０１（１），９０１（２）によってインク吸収層が形成されているため、それらのコート層を用いて、縁なし記録時のインクを吸収することができる。すなわち、まず、一方のコート層にインクを吸収させるように縁なし記録を実施し、そのコート層がインクを吸収できなくなったときに、搬送用トレイ８００上においてアダプタトレイ８０４を裏返する。これにより、他方のコート層にインクを吸収させるように縁なし記録を実施することができる。
【００６１】
このように、複数の記録媒体８０６に対する縁なし記録を繰り返す場合に、アダプタトレイ８０４を裏返して利用することができる。アダプタトレイ８０４を裏返しても記録媒体８０６が搬送用トレイ８００上の同じ位置となるように、嵌め込み部８０１，８０５が形成されている。したがって記録装置は、アダプタトレイ８０４の裏返しの如何に拘わらず、同じ記録位置において記録媒体８０６に画像を縁なし記録することができる。また、アダプタトレイ８０４の少なくとも一方の面に、複数の同形状の嵌め込み部８０５、あるいは複数の異なる形状の嵌め込み部８０５を設けることにより、１つのアダプタトレイ８０４を用いて、複数の記録媒体に対して画像を縁なし記録することができる。
【００６２】
（第３の実施形態）
次に、上述した基本構成を含む本発明の第３実施形態を図６（ｂ）に基づいて説明する。前述した第１の実施形態と同様な部分については、同一符号を付して説明を省略する。
【００６３】
図６（ｂ）のように、アダプタトレイ８０４の少なくとも一方の表面に、縁なし記録の実施回数に関する情報を記録するための記録回数判定領域（記録部）１１０２を設けてもよい。この領域１１０２には、アダプタトレイ８０４を利用して縁なし記録を実施した場合に、縁なし記録の実施回数に関する情報が記録される。１つのアダプタトレイ８０４を用いて実施可能な縁なし記録の回数は、記録媒体の材質、インクの成分、およびインクの吐出量などに基づいて、予め設定しておく。
【００６４】
例えば、１つのアダプタトレイ８０４の縁なし記録の実施回数が４回と設定されている場合を想定する。この場合には、領域１１０２は、実施回数の４回に対応する大きさの記録予定領域を含み、縁なし記録を１回実施する毎に、その縁なし記録時に、記録予定領域の４分の１の領域をインクによって埋める。縁なし記録を４回繰り返されたときには、領域１１０２の全てがインクによって埋められる。これにより、仮に、同じアダプタトレイ８０４を用いて５回目の縁なし記録を実施した場合に、アダプタトレイ８０４からインクが溢れるおそれがあることを知らせることができる。すなわち、アダプタトレイ８０４を使用するユーザは、領域１１０２を見ることによって、アダプタトレイ８０４を用いた実施済みの縁なし記録の回数、および縁なし記録の残りの実施可能回数を認知することができる。
【００６５】
前述した第２の実施形態のように、アダプタトレイ８０４の両面を用いて縁なし記録が実施可能な場合には、アダプタトレイ８０４の両面の少なくとも一方に、領域１１０２を設定することができる。
【００６６】
（第４の実施形態）
前述した第３の実施形態においては、縁なし記録の実施回数に応じて、記録回数判定領域（情報記録部）１１０２をインクによって埋めることにより、縁なし記録可能な回数を認知させる。しかし、領域１１０２を用いて縁なし記録可能な回数を認知させる方法は、このような方法のみに限定されない。
【００６７】
この第４の実施形態においては、図６（ｃ）のように、記録回数判定領域１１０２に対して、予め、縁なし記録可能な回数が数値によって記載されている。例えば、１つのアダプタトレイ８０４によって実施可能な縁なし記録の回数が４回の場合には、領域１１０２に、４，３，２，１の数値を予め記載しておく。そして、縁なし記録を実施する毎に、数値の４，３，２，１の順にしたがって、１つの数値の上にバツ（×）を記録する。ユーザは、バツ（×）を記録されていない領域１１０２の数値を確認することにより、縁なし記録が可能な残りの回数を認知することができる。
【００６８】
第３および第４の実施形態においては、縁なし記録を実施する毎に、領域１１０２に対する記録位置が変更される。そのため、例えば、領域１１０２に対する記録の前に、光学センサによってアダプタトレイ８０４の領域１１０２の画像を読み取り、その読み取った画像を解析して、領域１１０２において既に記録されている領域を判定する。そして、その判定結果に基づいて、縁なし記録の実施時に、領域１１０２内において既に記録されている領域以外の領域に対して、予め設定されている順序にしたがって記録をすることができる。
【００６９】
また、光学センサによって領域１１０２の記録情報を読み取り、縁なし記録の実施回数が既に最大となっていて、仮に、さらなる縁なし記録を実施した場合には、アダプタトレイがインクを吸収できないおそれがあると判断することができる。このような状況にある場合には、その状況を記録装置７００においてメッセージとして表示してもよい。このように、領域１１０２を利用して縁なし記録の実施可能な回数を認知させる方法として、種々の方法を採用することができる。
【００７０】
このように本実施形態におけるアダプタトレイは、縁なし記録の実施可能な回数を示す記録回数判定領域を有するため、ユーザに縁なし記録の実施可能な回数を認知させることができる。例えば、記録装置に備えた情報処理部によって、１つのトレイを用いて実施可能な縁なし記録の実施可能回数から、その１つのトレイを用いて実施された縁なし記録の実施回数を減じて、残りの実施可能回数を算出する。そして、記録装置に備えた表示部によって、その算出した残りの実施可能回数、および領域１１０２に記録された情報のうちの少なくとも一方を表示する。
【００７１】
（他の実施形態）
本発明は、シリアルスキャン方式のインクジェット記録装置に対してのみならず、インクによって縁なし記録が可能な種々の記録方式の記録装置に対して広く適用することができる。要は、インクを付与することによって縁なし記録が可能な記録装置であればよく、例えば、フルライン方式の記録装置であってもよい。
【００７２】
上述した実施形態は本発明の効果を得るための一手段であり、類似の別手法を用いたとしても、異なるパラメータを用いたとしても、本発明と同等の効果が得られる場合は、本発明の範疇に含まれる。また本発明は、複数の機器（例えば、ホストコンピュータ、インターフェース機器、リーダ（読取装置）、プリンタ（記録装置）等）から構成されるシステムにも適用することができる。また本発明は、１つの機器からなる装置（例えば、プリンタ（記録装置）、複写機、ファクシミリ装置等）にも適用することができる。
【００７３】
また、本発明の目的は、以下の構成によっても達成することができる。すなわち、まずは、前述した実施形態の機能を実現するソフトウェアのプログラムコードを記録した記憶媒体（または記録媒体）を用意し、それをシステムあるいは装置に供給する。次に、そのシステムあるいは装置のコンピュータ（またはＣＰＵやＭＰＵ）が記憶媒体に格納されたプログラムコードを読み出して実行する。この場合、記憶媒体から読み出されたプログラムコード自体が前述した実施形態の機能を実現し、そのプログラムコードを記憶した記憶媒体は本発明を構成する。また、前述した実施形態の機能は、読み出したプログラムコードをコンピュータが実行する以外によっても実現することができる。例えば、そのプログラムコードの指示に基づいて、コンピュータ上で稼働しているオペレーティングシステム（ＯＳ）などが実際の処理の一部または全部を行い、その処理によって前述した実施形態の機能が実現することもできる。このような構成も本発明に含まれる。
【００７４】
また、本発明の目的は、以下の構成によっても達成することができる。すなわち、まずは、コンピュータに挿入された機能拡張カード、あるいはコンピュータに接続された機能拡張ユニットに備わるメモリに、記憶媒体から読み出されたプログラムコードを書き込む。その後、そのプログラムコードの指示に基づいて、その機能拡張カードあるいは機能拡張ユニットに備わるＣＰＵなどが実際の処理の一部または全部を行い、その処理によって前述した実施形態の機能を実現する。このような構成も本発明に含まれる。
【符号の説明】
【００７５】
１００  情報処理装置
７００  記録装置
８００  搬送用トレイ
８０１  嵌め込み部
８０４  アダプタトレイ
８０５  嵌め込み部（保持部）
１１０２  記録回数判定領域（情報記録部）
【図１】
2017213733.tif 000003
【図２】
2017213733.tif 000004
【図３】
2017213733.tif 000005
【図４】
2017213733.tif 000006
【図５】
2017213733.tif 000007
【図６】
2017213733.tif 000008